(57)【要約】【課題】軸筒の少なくとも一部をあるいは全体を、多角形状の両端部をお互いに逆方向に捩って形成した捩れ外形形状とした筆記具の軸筒において、捩れ外形形状の部分がより目立つようにする。【解決手段】筆記具の軸筒１の外形形状を、断面形状が正六角形の軸筒の両端部１ａと１ｂをお互いに逆方向に捩って形成した捩れ外形形状３とし、断面形状が正六角形の角部４にＶ字状の凹溝５を形成して、軸筒１の外表面２に２条の線条６ａ、６ｂで構成された螺旋溝７を設ける。【選択図】図１
2010241083.tif 000002
【特許請求の範囲】
【請求項１】
軸筒の少なくとも一部あるいは全体の外形形状を、断面形状を多角形状とした軸筒の部分の両端部をお互いに逆方向に捩って形成した捩れ外形形状とした筆記具の軸筒において、前記多角形状の角部で構成される捩れ外形形状の複数の螺旋状の線条に凹溝を形成し、軸筒の外表面に２条の線条で構成された複数の螺旋溝を設けたことを特徴とする、筆記具の軸筒。
【発明の詳細な説明】
【技術分野】
【０００１】
本発明は、筆記具の軸筒に関する。
【背景技術】
【０００２】
従来、筆記具の軸筒においては、看者の気を惹くために、例えば、軸筒の外表面に色彩的な装飾を施したり、断面形状が四角形や六角形等の多角形状の外形形状としたりすることが行なわれている。前記外形形状において、さらに斬新さを醸し出すために、軸筒の少なくとも一部分をあるいは全体を、断面形状が多角形状の両端部をお互いに逆方向に捩って形成した捩れ外形形状とした筆記具の軸筒が提案されている。
【０００３】
しかし前記軸筒は、触感的には断面形状が単に円形状や多角形状とした軸筒とは著しく相違するものの、現実的には多角形の角部分をＲ状に形成しているために、視覚的にはあまり捩れ外形形状が目立っていないのが現実であった。
【先行技術文献】
【特許文献】
【０００４】
【特許文献１】意匠登録第５３０６６８号公報
【特許文献２】意匠登録第６５７５９６号公報
【発明の概要】
【発明が解決しようとする課題】
【０００５】
本発明はこうした事実に鑑みてなされたもので、軸筒の少なくとも一部あるいは全体の外形形状を、断面形状を多角形状とした軸筒の部分の両端部をお互いに逆方向に捩って形成した捩れ外形形状とした筆記具の軸筒において、捩れ外形形状の部分がより目立つようにすることを目的とするものである。
【課題を解決するための手段】
【０００６】
本発明は、
「１．軸筒の少なくとも一部あるいは全体の外形形状を、断面形状を多角形状とした軸筒の部分の両端部をお互いに逆方向に捩って形成した捩れ外形形状とした筆記具の軸筒において、前記多角形状の角部で構成される捩れ外形形状の複数の螺旋状の線条に凹溝を形成し、軸筒の外表面に２条の線条で構成された複数の螺旋溝を設けたことを特徴とする、筆記具の軸筒。」
である。
【０００７】
前記の捩れ外形形状の軸筒を得るには、割金型を用いて成形することで可能となる。捩れ外形形状の螺旋状の線条に凹溝を形成するには、断面形状が多角形状の角部で構成された一つ一つの螺旋状の線条に切削により形成すれば可能であるが、工数や手間がかかってしまう。前記金型の多角形状の角部に対応する部分に凹溝を形成するための突起を形成して軸筒を成形すれば、工数や手間がかからずに前記した筆記具の軸筒を得ることが可能となる。しかし、外形形状の角部は捩れているので、単純に突起を設ければ良いというものではなく、成形時において前記突起が成形物から抜け出せるような形状にすることが重要である。
【発明の効果】
【０００８】
本発明は前記したような構造なので、断面形状が多角形状であることと、その多角形状の角に設けた軸心方向にのびた複数の螺旋状の二重線条が相まって、互いの視覚的効果を向上し、さらに斬新さを醸し出し、看者の気を惹くことが可能となる。
【図面の簡単な説明】
【０００９】
【図１】本発明の実施例を示す、筆記具の軸筒の側面図である。
【図２】図１における筆記具の軸筒の各部の横断面図で、（ａ）はＡ−Ａ線部分の横断面図であり、（ｂ）はＢ−Ｂ線部分の横断面図であり、（ｃ）はＣ−Ｃ線部分の横断面図であり、（ｄ）はＤ−Ｄ線部分の横断面図である。
【図３】捩れ外形形状の螺旋状の線条に断面形状がＶ字状の凹溝を形成する際のＶ字における開き角度を説明するための図である。
【発明を実施するための最良の形態】
【００１０】
筆記具の軸筒に、断面形状が正多角形の軸筒の部分の両端部をお互いに逆方向に捩って形成した捩れ外形形状の部分を設け、正多角形の角部で形成される複数の螺旋状の線条に凹溝を、割金型を用いて軸筒を形成する際に、同時に成形により設ける。
【実施例】
【００１１】
以下、本発明の筆記具の実施例を図面を用いて説明する。
本発明の実施例の筆記具の軸筒１の外形形状は、図２に示すように、断面形状が外表面２をＲ状に形成した正六角形の軸筒の両端部１ａと１ｂをお互いに逆方向（図１において右側端部１ｂを下側、左側端部１ａを上側）に捩って形成した捩れ外形形状３としてある。
【００１２】
断面形状が正六角形の角部４には断面形状がＶ字状の凹溝５を形成してあり（図２を参照）、軸筒１の外表面２に２条の線条６ａ、６ｂで構成された螺旋溝７を設けてある。なお、Ｖ字においては、尖端を角張らずにＲ状にしたものや、傾斜辺を直線状ではなく曲線状とした形状のものであってもよい。
【００１３】
前記螺旋溝７を設けた軸筒１を射出成形するには、図示していないが、三方割金型を用いて成形することで可能となる。捩れ外形形状３の螺旋状の線条に断面形状がＶ字状の凹溝５を形成するには、各々の割金型の断面形状が正六角形の前記角部４に対応する壁面に突起部を設けるが、捩れ外形形状３のために、前記Ｖ字状の凹溝５が突起部に対してアンダーカットとならないような形状にする必要がある。例えば、図３に示すように、三方割金型を用いて成形される軸筒１のＩ部分、II部分、III部分において、Ｖ字状の凹溝５の部分が三方割金型の分割線：Ｐ、Ｑ、Ｒ上に位置している場合には、Ｖ字状の凹溝５の軸筒１のＩ部分（図３において右側下がり斜線部分）やII部分（図３において左側下がり斜線部分）は、金型のＮ側方向やＭ側方向への移動に対しＶ字状の凹溝５の開き角度が小さいと、Ｖ字状の凹溝５はともに金型の移動方向に対してアンダーカットとなってしまい、金型の移動を妨げてしまう。
【００１４】
詳述すると、Ｖ字状の凹溝５が、該Ｖ字状の凹溝５の谷底部８と軸筒１の中心点：０を結んだ線：Ｔに対して左右対称とすると、Ｖ字状の凹溝５の開き角度を２Ｘとし、金型の分割線：Ｐと前記線：Ｔとで構成される捩れ角度をＺとし、金型の分割線：ＰとＶ字状の凹溝５の傾斜壁面９とで構成される角度をＹとした場合に、Ｙが６０度以上にならないと、Ｖ字状の凹溝５は軸筒１のＩ部分を成形する金型（図示せず）のＮ側方向（金型の分割線：Ｐに対して６０度の方向）への移動に対してアンダーカットとなってしまうので、
Ｙ＝Ｘ−Ｚ＞６０度
でなければならなく、
Ｘ＝Ｙ＋Ｚ＞６０度＋Ｚ  ⇒  ２Ｘ＝２（Ｙ＋Ｚ）＞２（６０度＋Ｚ）
となり、Ｖ字状の凹溝５の開き角度を１２０度を超えた角度にする必要があり、軸筒１の軸径やＶ字状の凹溝５の幅をどの程度に設定するかにより、角度は設定する。
【産業上の利用可能性】
【００１５】
本発明は、筆記具の軸筒に関するものであるが、工具やその他の握り部を有する軸部にも適用でき、また射出成形により得ることができるので大量に生産を必要とするものにも適用できる。
【符号の説明】
【００１６】
１  筆記具の軸筒
２  外表面
３  外形形状
４  角部
５  Ｖ字状の凹溝
６  線条
７  螺旋溝
【図１】
2010241083.tif 000003
【図２】
2010241083.tif 000004
【図３】
2010241083.tif 000005